(57)【要約】【課題】立体画像の表示の乱れを抑制することが可能な画像出力装置、画像表示装置及び画像出力装置の制御方法を提供する。【解決手段】画像処理部２０は、フレームメモリー２２と、入力される画像情報に基づいて、左眼用の画像データ及び右眼用の画像データからなる一対の画像データをフレームメモリー２２に書き込む入力処理部２１と、フレームメモリー２２に書き込まれた一対の画像データを読み出して出力する画像読出部２３と、を備え、入力処理部２１は、一対の画像データをフレームメモリー２２に書き込んだ後に、書き込んだことを示す通知情報を画像読出部２３に出力し、画像読出部２３は、通知情報に基づいて、一対の画像データをフレームメモリー２２から読み出すことを特徴とする。【選択図】図２
2020068400.tif 000002
【特許請求の範囲】
【請求項１】
フレームメモリーと、
入力される画像情報に基づいて、左眼用の画像データ及び右眼用の画像データからなる一対の画像データを前記フレームメモリーに書き込む画像書込部と、
前記フレームメモリーに書き込まれた前記一対の画像データを読み出して出力する画像読出部と、
を備え、
前記画像書込部は、前記一対の画像データを前記フレームメモリーに書き込んだ後に、書き込んだことを示す通知情報を前記画像読出部に出力し、
前記画像読出部は、前記通知情報に基づいて、前記一対の画像データを前記フレームメモリーから読み出すことを特徴とする画像出力装置。
【請求項２】
請求項１に記載の画像出力装置であって、
前記画像書込部は、入力される前記画像情報が立体画像用であるか否かを判別して、前記画像情報が前記立体画像用の場合に、前記一対の画像データを前記フレームメモリーに書き込み、
前記通知情報には、前記画像情報が前記立体画像用であるか否かを示す情報が含まれており、
前記画像読出部は、前記画像情報が前記立体画像用であることを示す情報が前記通知情報に含まれている場合に、前記一対の画像データを前記フレームメモリーから読み出すことを特徴とする画像出力装置。
【請求項３】
請求項１又は２に記載の画像出力装置であって、
前記フレームメモリーは、前記一対の画像データが書き込まれる複数の記憶領域を有し、
前記画像書込部は、前記複数の記憶領域のうち、いずれか１つの記憶領域に前記一対の画像データを書き込み、
前記通知情報には、前記一対の画像データが書き込まれた前記記憶領域を示す情報が含まれており、
前記画像読出部は、前記通知情報によって示される前記記憶領域から前記一対の画像データを読み出すことを特徴とする画像出力装置。
【請求項４】
フレームメモリーと、
入力される画像情報に基づいて、左眼用の画像データ及び右眼用の画像データからなる一対の画像データを前記フレームメモリーに書き込む画像書込部と、
前記フレームメモリーに書き込まれた前記一対の画像データを読み出して出力する画像読出部と、
前記画像読出部から出力された前記一対の画像データに基づいて画像を表示する表示部と、
を備え、
前記画像書込部は、前記一対の画像データを前記フレームメモリーに書き込んだ後に、書き込んだことを示す通知情報を前記画像読出部に出力し、
前記画像読出部は、前記通知情報に基づいて、前記一対の画像データを前記フレームメモリーから読み出すことを特徴とする画像表示装置。
【請求項５】
フレームメモリーを備える画像出力装置の制御方法であって、
入力される画像情報に基づいて、左眼用の画像データ及び右眼用の画像データからなる一対の画像データを前記フレームメモリーに書き込み、
前記一対の画像データが前記フレームメモリーに書き込まれた後に、書き込んだことを示す通知情報を生成し、
前記通知情報に基づいて、前記一対の画像データを前記フレームメモリーから読み出して出力することを特徴とする画像出力装置の制御方法。
【発明の詳細な説明】
【技術分野】
【０００１】
本発明は、画像出力装置、画像表示装置、及び画像出力装置の制御方法に関する。
【背景技術】
【０００２】
従来、左眼用の画像と右眼用の画像を交互に表示することにより、ユーザーに立体画像を視認させる画像表示装置が知られている。特許文献１には、立体画像用の画像データが入力された場合に、右眼用の画像データと左眼用の画像データを交互にフレームメモリーに書き込み、このフレームメモリーに書き込まれた画像データを逐次読み出して表示する処理を行う装置が記載されている。
【先行技術文献】
【特許文献】
【０００３】
【特許文献１】特開２０１２−１０５０１３号公報
【発明の概要】
【発明が解決しようとする課題】
【０００４】
しかしながら、フレームメモリーに書き込まれた画像データを逐次読み出して表示処理を行う態様では、動画として表示されている立体画像を一時的に静止させて表示する場合や、静止させた状態から復帰した後において、立体画像の表示が乱れてしまう恐れがある。例えば、表示している立体画像をユーザーの操作に基づいて任意の時点で静止させる機能を備えた画像表示装置では、操作のタイミングによっては、左右一対の画像データのうち、一方の画像データのみがメモリーに書き込まれた状態で表示処理が行われてしまう事態が生じ得る。この場合には、静止した状態において、本来の組合せとは異なる組合せで左右の画像が表示されたり、静止状態からの復帰後に、左右が入れ替わって表示されたりする恐れがある。
【課題を解決するための手段】
【０００５】
本願の画像出力装置は、フレームメモリーと、入力される画像情報に基づいて、左眼用の画像データ及び右眼用の画像データからなる一対の画像データを前記フレームメモリーに書き込む画像書込部と、前記フレームメモリーに書き込まれた前記一対の画像データを読み出して出力する画像読出部と、を備え、前記画像書込部は、前記一対の画像データを前記フレームメモリーに書き込んだ後に、書き込んだことを示す通知情報を前記画像読出部に出力し、前記画像読出部は、前記通知情報に基づいて、前記一対の画像データを前記フレームメモリーから読み出すことを特徴とする。
【０００６】
上記の画像出力装置において、前記画像書込部は、入力される前記画像情報が立体画像用であるか否かを判別して、前記画像情報が前記立体画像用の場合に、前記一対の画像データを前記フレームメモリーに書き込み、前記通知情報には、前記画像情報が前記立体画像用であるか否かを示す情報が含まれており、前記画像読出部は、前記画像情報が前記立体画像用であることを示す情報が前記通知情報に含まれている場合に、前記一対の画像データを前記フレームメモリーから読み出すことを特徴とする。
【０００７】
上記の画像出力装置において、前記フレームメモリーは、前記一対の画像データが書き込まれる複数の記憶領域を有し、前記画像書込部は、前記複数の記憶領域のうち、いずれか１つの記憶領域に前記一対の画像データを書き込み、前記通知情報には、前記一対の画像データが書き込まれた前記記憶領域を示す情報が含まれており、前記画像読出部は、前記通知情報によって示される前記記憶領域から前記一対の画像データを読み出すことを特徴とする。
【０００８】
本願の画像表示装置は、フレームメモリーと、入力される画像情報に基づいて、左眼用の画像データ及び右眼用の画像データからなる一対の画像データを前記フレームメモリーに書き込む画像書込部と、前記フレームメモリーに書き込まれた前記一対の画像データを読み出して出力する画像読出部と、前記画像読出部から出力された前記一対の画像データに基づいて画像を表示する表示部と、を備え、前記画像書込部は、前記一対の画像データを前記フレームメモリーに書き込んだ後に、書き込んだことを示す通知情報を前記画像読出部に出力し、前記画像読出部は、前記通知情報に基づいて、前記一対の画像データを前記フレームメモリーから読み出すことを特徴とする。
【０００９】
本願の画像出力装置の制御方法は、フレームメモリーを備える画像出力装置の制御方法であって、入力される画像情報に基づいて、左眼用の画像データ及び右眼用の画像データからなる一対の画像データを前記フレームメモリーに書き込み、前記一対の画像データが前記フレームメモリーに書き込まれた後に、書き込んだことを示す通知情報を生成し、前記通知情報に基づいて、前記一対の画像データを前記フレームメモリーから読み出して出力することを特徴とする。
【図面の簡単な説明】
【００１０】
【図１】プロジェクターの概略構成を示すブロック図。
【図２】画像処理部の内部構成を示すブロック図。
【図３】入力処理部の動作を説明するためのフローチャート。
【図４】画像読出部の動作を説明するためのフローチャート。
【発明を実施するための形態】
【００１１】
以下、本実施形態の画像表示装置としてのプロジェクターについて、図面を参照して説明する。
【００１２】
図１は、本実施形態に係るプロジェクター１の概略構成を示すブロック図である。
本実施形態のプロジェクター１は、立体画像の表示に対応した画像表示装置である。具体的には、プロジェクター１は、外部の画像供給装置２から立体画像用の画像情報の供給を受けると、この画像情報に基づいて、左眼用の画像と右眼用の画像とを時分割で交互に投写面Ｓｐに投写する。ユーザーが眼鏡型の立体視装置３を通して投写面Ｓｐを見ると、左眼用の画像は左眼のみで、右眼用の画像は右眼のみで視認される。この結果、左眼用の画像と右眼用の画像との視差により、投写された画像は立体的に視認される。また、プロジェクター１は、立体画像ではない通常の画像の投写も可能である。本明細書では、立体画像ではない通常の画像のことを、平面画像と表記する。つまり、プロジェクター１は、外部の画像供給装置２から平面画像用の画像情報の供給を受けると、この画像情報に基づく平面画像を投写面Ｓｐに投写することも可能である。
【００１３】
図１に示すように、プロジェクター１は、スクリーン等の投写面Ｓｐに画像を投写して表示する画像表示装置であり、制御部１０と、記憶部１１と、入力操作部１２と、入力インターフェイス１３と、同期信号送信部１４と、画像出力装置としての画像処理部２０と、表示部としての画像投写部３０とを備えて構成されている。なお、「入力インターフェイス」は、図中では「入力Ｉ／Ｆ」と表記されている。
【００１４】
制御部１０は、１つ又は複数のプロセッサーを備えて構成され、記憶部１１に記憶されている制御プログラムに従って動作することによりプロジェクター１の動作を統括制御する。
【００１５】
記憶部１１は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１の動作を制御するための制御プログラムや、各種設定情報等を記憶する。なお、記憶部１１には、プロジェクター１から投写させる画像の画像データが記憶されていてもよい。
【００１６】
入力操作部１２は、ユーザーがプロジェクター１に対して各種指示を行うための複数の操作キーを備えている。入力操作部１２が備える操作キーとしては、電源のオンとオフとを切り替えるための電源キー、各種設定を行うためのメニュー画像を表示させるメニューキー、メニュー画像上で項目を選択するための方向キー、表示している動画像を静止させるための画像静止キー等がある。ユーザーが入力操作部１２の各種操作キーを操作すると、入力操作部１２は、その操作を受け付けて、操作内容に応じた操作信号を制御部１０に出力する。なお、遠隔操作が可能な図示しないリモコンを、入力操作部１２として用いる構成としてもよい。この場合、リモコンは、ユーザーの操作内容に応じた赤外線の操作信号を発信し、図示しないリモコン信号受信部がこれを受信して制御部１０に伝達する。
【００１７】
入力インターフェイス１３は、外部の画像供給装置２に接続されるコネクターと、このコネクターに対応するインターフェイス回路とを含んで構成され、画像供給装置２から画像情報の供給を受け付ける。入力インターフェイス１３に入力された画像情報は、画像処理部２０に出力される。
【００１８】
画像処理部２０は、制御部１０の制御に基づいて、入力インターフェイス１３から入力される画像情報に対して、画像情報に基づく画像を画像投写部３０から投写させるための様々な処理を施す。
【００１９】
図２は、画像処理部２０の内部構成を示すブロック図である。
図２に示すように、画像処理部２０は、画像書込部としての入力処理部２１と、フレームメモリー２２と、画像読出部２３と、フレームレート変換部２４とを備えている。画像処理部２０は、１つの半導体装置からなる画像処理プロセッサーを含んで構成されてもよいし、ＦＰＧＡ（Field Programmable Gate Array）又はＡＳＩＣ（Application Specific IC）等の電子回路を含んで構成されてもよい。また、複数の電子部品が組み合わされて構成されてもよい。
【００２０】
入力処理部２１は、入力インターフェイス１３から逐次入力される画像情報の解像度を判別するとともに、この画像情報が平面画像用であるのか、立体画像用であるのかを判別する。そして、入力処理部２１は、解像度を変換する処理等の所定の処理を画像情報に施し、画面単位、即ちフレーム単位の画像データを逐次生成する。入力処理部２１は、生成した画像データをフレームメモリー２２に書き込んで記憶させる。また、入力処理部２１は、書き込んだ画像データが平面画像用と立体画像用のいずれの画像情報であるのかを示す通知情報を生成し、画像読出部２３に出力する。
【００２１】
フレームメモリー２２は、入力処理部２１で生成された画像データを一時的に記憶する揮発性又は不揮発性のメモリーであり、例えば、ＤＲＡＭ（Dynamic RAM）、ＳＤＲＡＭ（Synchronous Dynamic RAM）、ＦｅＲＡＭ（Ferroelectric RAM）、ＭＲＡＭ（Magnetoresistive RAM）等によって構成される。本実施形態のフレームメモリー２２は、バンクＢと呼ばれる４つの記憶領域を有しており、画像データは、これら４つのバンクＢに順次格納される。入力処理部２１に入力された画像情報が平面画像用である場合には、入力処理部２１は、１つのバンクＢに１フレーム分の画像データを記憶させる。一方、入力された画像情報が立体画像用である場合には、入力処理部２１は、１フレーム分の左眼用の画像データと、１フレーム分の右眼用の画像データとを組み合わせ、これら一対の画像データを１つのバンクＢに記憶させる。つまり、入力処理部２１は、左眼用の画像データと右眼用の画像データをセットでフレームメモリー２２に記憶させる。なお、入力処理部２１によって生成される通知情報には、書き込んだ画像データが平面画像用と立体画像用のいずれであるのかを示す情報とともに、画像データを書き込んだバンクＢを識別するための情報も含まれている。
【００２２】
画像読出部２３は、入力処理部２１によって生成された通知情報に基づいて、フレームメモリー２２に格納されている画像データが平面画像用であるのか立体画像用であるのかを判別する。そして、画像読出部２３は、フレームメモリー２２から、判別結果に対応する画像データを所定のフレームレートで逐次読み出す。具体的には、フレームメモリー２２に格納されている画像データが平面画像用である場合には、画像読出部２３は、通知情報によって示される１つのバンクＢから１フレーム分の画像データを読み出す。一方、フレームメモリー２２に格納されている画像データが立体画像用である場合には、画像読出部２３は、通知情報によって示される１つのバンクＢから左眼用と右眼用の一対の画像データをセットで読み出す。画像読出部２３は、読み出した画像データをフレームレート変換部２４に出力する。
【００２３】
フレームレート変換部２４は、フレームメモリー２２を利用して、画像読出部２３から入力される画像データのフレームレートを、所定のフレームレートに変換して画像投写部３０のライトバルブ駆動部３４に出力する。例えば、画像データが立体画像用である場合において、フレームレート変換部２４は、画像読出部２３から入力される１フレーム分の左眼用の画像データをフレームメモリー２２に書き込むとともに、この画像データの読み出しと出力とを２倍のフレームレートで２回実施する。引き続き、フレームレート変換部２４は、画像読出部２３から入力される１フレーム分の右眼用の画像データをフレームメモリー２２に書き込むとともに、この画像データの読み出しと出力とを２倍のフレームレートで２回実施し、以降、この動作を繰り返す。
【００２４】
図１に戻って、画像投写部３０は、光源３１、光変調装置としての３つの液晶ライトバルブ３２Ｒ，３２Ｇ，３２Ｂ、投写光学系３３、ライトバルブ駆動部３４等を備えて構成される。画像投写部３０は、光源３１から射出された光を、液晶ライトバルブ３２Ｒ，３２Ｇ，３２Ｂで変調して画像光を形成し、レンズ及びミラーの少なくとも一方を含む投写光学系３３からこの画像光を投写して投写面Ｓｐに画像を表示する。画像投写部３０による画像の表示は、画像処理部２０を介して制御部１０によって制御される。
【００２５】
光源３１は、超高圧水銀ランプやメタルハライドランプ等の放電型の光源ランプ、又は発光ダイオードや半導体レーザー等の固体光源を含んで構成されている。光源３１から射出された光は、図示しないインテグレーター光学系によって輝度分布が略均一な光に変換され、図示しない色分離光学系によって光の３原色である赤色、緑色、青色の各色光成分に分離された後、それぞれ液晶ライトバルブ３２Ｒ，３２Ｇ，３２Ｂに入射する。
【００２６】
液晶ライトバルブ３２Ｒ，３２Ｇ，３２Ｂは、それぞれ一対の透明基板間に液晶が封入された透過型の液晶パネル等によって構成される。各液晶パネルには、マトリクス状に配列された図示しない複数の画素からなる矩形の画素領域３２ｉが形成されており、液晶に対して画素毎に駆動電圧を印加可能になっている。
【００２７】
ライトバルブ駆動部３４は、液晶ライトバルブ３２Ｒ，３２Ｇ，３２Ｂの画素領域３２ｉに画像を形成する。具体的には、ライトバルブ駆動部３４は、画像処理部２０から入力される画像データに応じた駆動電圧を、画素領域３２ｉの各画素に印加し、各画素を画像情報に応じた光透過率に設定する。光源３１から射出された光は、液晶ライトバルブ３２Ｒ，３２Ｇ，３２Ｂの画素領域３２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系３３によって投写面Ｓｐに拡大投写される。この結果、投写面Ｓｐ上には、画像情報に基づく画像が表示される。
【００２８】
同期信号送信部１４は、制御部１０の制御に基づいて、プロジェクター１と立体視装置３との間で動作を同期するための同期信号を立体視装置３に向けて送信する。本実施形態では、同期信号送信部１４は、Ｂｌｕｅｔｏｏｔｈ（登録商標）等の規格に基づいて電波により同期信号を送信する態様とするが、赤外線の同期信号を送信する態様であってもよい。また、これら無線による送信に限定されず、プロジェクター１と立体視装置３とをケーブルで接続して、有線で同期信号を送信する態様であってもよい。
【００２９】
立体視装置３は、プロジェクター１が立体画像を投写する場合に、鑑賞者であるユーザーに装着される眼鏡型のデバイスである。立体視装置３は、ユーザーの左眼に対峙する左眼用の液晶シャッター４１Ｌと、ユーザーの右眼に対峙する右眼用の液晶シャッター４１Ｒとを備えており、液晶シャッター４１Ｌ，４１Ｒは、光を透過させる透過状態と光の透過を遮断する遮断状態とを切り替え可能になっている。立体視装置３は、プロジェクター１の同期信号送信部１４から送信される同期信号を受信する同期信号受信部４２を備えており、受信した同期信号に基づいて、液晶シャッター４１Ｌ，４１Ｒの透過と遮断と切り替える。具体的には、立体視装置３は、左眼用の画像がユーザーの左眼のみで認識され、右眼用の画像がユーザーの右眼のみで認識されるよう、受信した同期信号に同期して左右の液晶シャッター４１Ｌ，４１Ｒを交互に透過状態にする。また、立体視装置３は、フレームレート変換部２４から２回ずつ出力される画像データのうち、２回目に出力された画像データに基づく画像が画像投写部３０から投写される期間に両方の液晶シャッター４１Ｌ，４１Ｒを遮断状態にする。この期間は、左右の画像が混在して投写されるため、この期間に両方の液晶シャッター４１Ｌ，４１Ｒを遮断状態にすることにより、ユーザーに視認される画像の劣化を抑制することができる。
【００３０】
次に、プロジェクター１の動作、即ちプロジェクター１の制御方法について説明する。
図３は、画像処理部２０の入力処理部２１の動作を説明するためのフローチャートである。入力インターフェイス１３に画像情報が入力され、制御部１０から画像処理の開始を指示する制御情報が画像処理部２０に入力されると、入力処理部２１は、図３に示すフローに従って動作する。
図３に示すように、ステップＳ１０１では、入力処理部２１は、入力インターフェイス１３から入力される画像情報の形式を判別し、この画像情報が立体画像用の画像情報であるのか、平面画像用の画像情報であるのかを判断する。そして、入力処理部２１は、平面画像用の画像情報である場合にはステップＳ１０２に処理を移し、立体画像用の画像情報である場合にはステップＳ１０４に処理を移す。
【００３１】
入力された画像情報が平面画像であってステップＳ１０２に処理が移行した場合には、入力処理部２１は、入力された画像情報に対して所定の処理を施して、１フレーム分の画像データを生成し、フレームメモリー２２に含まれる４つのバンクＢのうちの１つに書き込む。４つのバンクＢには、０〜３の番号が対応付けられており、入力処理部２１は、画像データを書き込むバンクＢを、このステップＳ１０２が実行される度に、番号順に切り替える。つまり、画像データが書き込まれるバンクＢの番号は、このステップＳ１０２が実行される度に、０、１、２、３、０、１、…のように循環的に切り替わる。
【００３２】
続くステップＳ１０３では、入力処理部２１は、入力された画像情報が平面画像用の画像情報であることを示す情報と、画像データを書き込んだバンクＢの番号を示す情報とを含む通知情報を生成し、画像読出部２３に出力する。
【００３３】
一方、ステップＳ１０１において、入力インターフェイス１３から入力された画像情報が立体画像用であってステップＳ１０４に処理が移行した場合には、入力処理部２１は、入力された画像情報に対して所定の処理を施して、左右一対の画像データを１フレーム分ずつ生成し、フレームメモリー２２に含まれる４つのバンクＢのうちの１つに書き込む。ステップＳ１０２と同様、入力処理部２１は、左右一対の画像データを書き込むバンクＢを、このステップＳ１０４が実行される度に、番号順に切り替える。
【００３４】
より詳しく説明すると、本実施形態のプロジェクター１は、立体画像用の画像情報の伝送形式として、フレームパッキング方式、サイドバイサイド方式、及びトップアンドボトム形式に対応している。フレームパッキング方式は、１フレーム分の左眼用の画像情報と、１フレーム分の右眼用の画像情報とを連結して伝送する方式であり、伝送される情報量は、平面画像の場合の略２倍となる。サイドバイサイド方式は、１フレーム分の左眼用の画像情報と、１フレーム分の右眼用の画像情報のそれぞれについて、横方向の解像度を半分にして横に並べて配置し、平面画像の１フレーム分の情報量で左右一対の画像を伝送する方式である。トップアンドボトム方式は、１フレーム分の左眼用の画像情報と、１フレーム分の右眼用の画像情報のそれぞれについて、縦方向の解像度を半分にして縦に並べて配置し、平面画像の１フレーム分の情報量で左右一対の画像を伝送する方式である。入力処理部２１は、画像情報がいずれの方式で伝送されたのかを判別する。
【００３５】
伝送方式がフレームパッキング方式の場合には、入力処理部２１は、入力される画像情報から左眼用の画像情報と右眼用の画像情報とを抽出し、１フレーム分の左眼用の画像データと、１フレーム分の右眼用の画像データとを逐次生成する。入力処理部２１は、生成した一対の画像データを、フレームメモリー２２の１つのバンクＢにセットで書き込む。
【００３６】
伝送方式がサイドバイサイド方式の場合には、入力処理部２１は、入力される１フレーム分の画像情報から左眼用の画像情報と右眼用の画像情報とを抽出する。そして、入力処理部２１は、それぞれの横方向の解像度を２倍に増大させる処理を施して、１フレーム分の左眼用の画像データと、１フレーム分の右眼用の画像データとを逐次生成する。入力処理部２１は、生成した一対の画像データを、フレームメモリー２２の１つのバンクＢにセットで書き込む。
【００３７】
伝送方式がトップアンドボトム方式の場合には、入力処理部２１は、入力される１フレーム分の画像情報から左眼用の画像情報と右眼用の画像情報とを抽出する。そして、入力処理部２１は、それぞれの縦方向の解像度を２倍に増大させる処理を施して、１フレーム分の左眼用の画像データと、１フレーム分の右眼用の画像データとを逐次生成する。入力処理部２１は、生成した一対の画像データを、フレームメモリー２２の１つのバンクＢにセットで書き込む。なお、サイドバイサイド方式又はトップアンドボトム方式において、入力処理部２１は解像度を増大させることなく画像データをフレームメモリー２２に書き込み、画像読出部２３が、フレームメモリー２２から読み出した画像データの解像度を増大させるようにしてもよい。
【００３８】
ステップＳ１０５では、入力処理部２１は、入力された画像情報が立体画像用の画像情報であることを示す情報と、画像データを書き込んだバンクＢの番号を示す情報とを含む通知情報を生成し、画像読出部２３に出力する。なお、ステップＳ１０３，Ｓ１０５で入力処理部２１によって生成される通知情報は、入力処理部２１が画像データをフレームメモリー２２に書き込んだ後に画像読出部２３に出力されることから、入力処理部２１によるフレームメモリー２２への画像データの書き込みが完了したことを示す情報としても機能する。
【００３９】
ステップＳ１０６では、入力処理部２１は、制御部１０から画像の静止を指示する制御情報が画像処理部２０に入力されたか否かを判断する。画像の静止とは、動画像を表示している状態において、画像の更新を停止することであり、その時点で表示されている画像が静止画像として表示される状態となる。入力操作部１２に備わる画像静止キーをユーザーが操作すると、制御部１０は、画像の静止を指示する制御情報を画像処理部２０に出力する。画像の静止を指示する制御情報が画像処理部２０に入力された場合には、入力処理部２１は、ステップＳ１０７に処理を移し、その制御情報が入力されていない場合には、ステップＳ１０８に処理を移す。
【００４０】
ステップＳ１０７に処理が移行した場合には、入力処理部２１は、制御部１０から画像の静止の解除を指示する制御情報が画像処理部２０に入力されたか否かを判断する。画像の静止の解除とは、画像を静止させた状態において、画像の更新を再開し、動画像を表示する状態に復帰することである。画像の静止中にユーザーが再度画像静止キーを操作すると、制御部１０は、画像の静止の解除を指示する制御情報を画像処理部２０に出力する。画像の静止の解除を指示する制御情報が画像処理部２０に入力された場合には、入力処理部２１は、ステップＳ１０８に処理を移す。一方、制御情報が入力されていない場合には、入力処理部２１は、制御情報が入力されるまで本ステップを繰り返す。この間、フレームメモリー２２への画像データの書き込みが停止され、画像が静止した状態が継続する。
【００４１】
ステップＳ１０８に移行した場合には、入力処理部２１は、制御部１０から画像処理の終了を指示する制御情報が画像処理部２０に入力されたか否かを判断する。例えば、ユーザーが入力操作部１２に対してプロジェクター１の動作を終了するための入力操作を行うと、制御部１０は、画像処理の終了を指示する制御情報を画像処理部２０に出力する。入力処理部２１は、終了を指示する制御情報が入力されていない場合にはステップＳ１０１に処理を戻す。これ以降、入力処理部２１は、逐次入力される画像情報に対して、ステップＳ１０１以降の処理を繰り返す。一方、制御部１０から画像処理の終了を指示する制御情報が入力された場合には、入力処理部２１は、フローを終了する。
【００４２】
図４は、画像処理部２０の画像読出部２３の動作を説明するためのフローチャートである。制御部１０から画像処理の開始を指示する制御情報が画像処理部２０に入力されると、画像読出部２３は、図４に示すフローに従って動作する。
【００４３】
図４に示すように、ステップＳ２０１では、画像読出部２３は、入力処理部２１から入力された最新の通知情報に基づいて、フレームメモリー２２に格納されている画像データが立体画像用であるのか平面画像用であるのかを判断する。そして画像読出部２３は、平面画像用の画像データである場合にはステップＳ２０２に処理を移し、立体画像用の画像データである場合にはステップＳ２０４に処理を移す。
【００４４】
格納されている画像データが平面画像用であってステップＳ２０２に処理が移行した場合には、画像読出部２３は、通知情報で示される番号のバンクＢから、１フレーム分の平面画像用の画像データを読み出す。そして、ステップＳ２０３では、画像読出部２３は、読み出した画像データをフレームレート変換部２４に出力する。
【００４５】
一方、ステップＳ２０１において、格納されている画像データが立体画像用であってステップＳ２０４に処理が移行した場合には、画像読出部２３は、通知情報で示される番号のバンクＢから、左右一対の画像データ、即ち１フレーム分の左眼用の画像データと、１フレーム分の右眼用の画像データとをセットで読み出す。そして、ステップＳ２０５では、画像読出部２３は、読み出した一対の画像データをフレームレート変換部２４に出力する。
【００４６】
ステップＳ２０６では、画像読出部２３は、制御部１０から画像処理の終了を指示する制御情報が画像処理部２０に入力されたか否かを判断する。そして、画像読出部２３は、終了を指示する制御情報が入力されていない場合にはステップＳ２０１に処理を戻す。これ以降、画像読出部２３は、ステップＳ２０１以降の動作を所定の周期で繰り返し実行する。一方、制御部１０から画像処理の終了を指示する制御情報が入力された場合には、画像読出部２３は、フローを終了する。
【００４７】
なお、画像読出部２３は、画像を静止させた状態か否かに拘らずに上記の動作を所定の周期で繰り返す。画像を静止させた状態では、入力処理部２１が画像データの書き込みを行わないため、画像読出部２３は、最後に入力された通知情報に基づいて、同じ画像データの読み出しを繰り返す。これにより、この画像データに基づく画像が静止画像として表示される。
【００４８】
以上説明したように、本実施形態のプロジェクター１及びその制御方法によれば、以下の効果を得ることができる。
【００４９】
（１）本実施形態によれば、入力処理部２１は、一対の画像データをフレームメモリー２２に書き込んだ後に通知情報を出力し、画像読出部２３は、通知情報に基づいてフレームメモリー２２から一対の画像データを読み出す。このため、一対の画像データのうち、一方の画像データのみがフレームメモリー２２に書き込まれた状態で後続の処理が行われてしまうことがなくなり、表示の乱れが抑制される。
【００５０】
（２）本実施形態によれば、画像情報が立体画像用であるのか平面画像用であるのかを示す情報が、入力処理部２１から入力される通知情報に含まれているため、画像読出部２３は、フレームメモリー２２から適切な形式で画像データを読み出すことが可能となる。
【００５１】
（３）本実施形態によれば、画像データが書き込まれたバンクＢを示す情報が通知情報に含まれているため、画像読出部２３は、フレームメモリー２２に複数のバンクＢが設けられている場合でも、適切なバンクＢから画像データを読み出すことが可能となる。
【００５２】
なお、上記実施形態は、以下のように変更してもよい。
【００５３】
上記実施形態では、入力処理部２１がフレームメモリー２２に画像データを書き込む態様を示したが、この態様に限定されない。例えば、記憶部１１に記憶されている画像データに基づいて画像を表示させる場合には、制御部１０が記憶部１１から画像データを読み出してフレームメモリー２２に書き込んだり、制御部１０が図示しないＤＭＡ（Direct Memory Access）コントローラーに指示をして、記憶部１１からフレームメモリー２２に画像データを転送させたりしてもよい。この場合には、画像データが平面画像用であるのか立体画像用であるのかを制御部１０が判別し、判別結果に基づく通知情報を制御部１０が生成して画像読出部２３に出力する。つまり、この態様においては、制御部１０が画像書込部に相当する。
【００５４】
上記実施形態では、光変調装置として、透過型の液晶ライトバルブ３２Ｒ，３２Ｇ，３２Ｂを用いているが、反射型の液晶ライトバルブ等、反射型の光変調装置を用いることも可能である。また、入射した光の射出方向を、画素としてのマイクロミラー毎に制御することにより、光源３１から射出された光を変調するデジタルミラーデバイス等を用いることもできる。また、色光別に複数の光変調装置を備える構成に限定されず、１つの光変調装置で複数の色光を時分割で変調する構成としてもよい。
【００５５】
上記実施形態では、画像表示装置の一例として、プロジェクター１について説明しているが、画像表示装置はプロジェクター１に限定されず、液晶ディスプレイや有機ＥＬ（Electro Luminescence）ディスプレイ等、他の画像表示装置であってもよい。これらの場合には、画像が表示される表示画面と、この表示画面に画像を表示させる処理装置とが表示部に相当する。
【００５６】
以下に、実施形態から導き出される内容を記載する。
【００５７】
画像出力装置は、フレームメモリーと、入力される画像情報に基づいて、左眼用の画像データ及び右眼用の画像データからなる一対の画像データを前記フレームメモリーに書き込む画像書込部と、前記フレームメモリーに書き込まれた前記一対の画像データを読み出して出力する画像読出部と、を備え、前記画像書込部は、前記一対の画像データを前記フレームメモリーに書き込んだ後に、書き込んだことを示す通知情報を前記画像読出部に出力し、前記画像読出部は、前記通知情報に基づいて、前記一対の画像データを前記フレームメモリーから読み出すことを特徴とする。
【００５８】
この構成によれば、画像書込部は、一対の画像データをフレームメモリーに書き込んだ後に通知情報を出力し、画像読出部は、通知情報に基づいてフレームメモリーから一対の画像データを読み出す。このため、一対の画像データのうち、一方の画像データのみがフレームメモリーに書き込まれた状態で後続の処理が行われてしまうことがなくなり、表示の乱れが抑制される。
【００５９】
上記の画像出力装置において、前記画像書込部は、入力される前記画像情報が立体画像用であるか否かを判別して、前記画像情報が前記立体画像用の場合に、前記一対の画像データを前記フレームメモリーに書き込み、前記通知情報には、前記画像情報が前記立体画像用であるか否かを示す情報が含まれており、前記画像読出部は、前記画像情報が前記立体画像用であることを示す情報が前記通知情報に含まれている場合に、前記一対の画像データを前記フレームメモリーから読み出すことを特徴とする。
【００６０】
この構成によれば、画像情報が立体画像用であるか否かを示す情報が通知情報に含まれているため、画像読出部は、フレームメモリーから適切な形式で画像データを読み出すことが可能となる。
【００６１】
上記の画像出力装置において、前記フレームメモリーは、前記一対の画像データが書き込まれる複数の記憶領域を有し、前記画像書込部は、前記複数の記憶領域のうち、いずれか１つの記憶領域に前記一対の画像データを書き込み、前記通知情報には、前記一対の画像データが書き込まれた前記記憶領域を示す情報が含まれており、前記画像読出部は、前記通知情報によって示される前記記憶領域から前記一対の画像データを読み出すことを特徴とする。
【００６２】
この構成によれば、記憶領域を示す情報が通知情報に含まれているため、画像読出部は、フレームメモリーに複数の記憶領域が設けられている場合でも、適切な記憶領域から画像データを読み出すことが可能となる。
【００６３】
画像表示装置は、フレームメモリーと、入力される画像情報に基づいて、左眼用の画像データ及び右眼用の画像データからなる一対の画像データを前記フレームメモリーに書き込む画像書込部と、前記フレームメモリーに書き込まれた前記一対の画像データを読み出して出力する画像読出部と、前記画像読出部から出力された前記一対の画像データに基づいて画像を表示する表示部と、を備え、前記画像書込部は、前記一対の画像データを前記フレームメモリーに書き込んだ後に、書き込んだことを示す通知情報を前記画像読出部に出力し、前記画像読出部は、前記通知情報に基づいて、前記一対の画像データを前記フレームメモリーから読み出すことを特徴とする。
【００６４】
この構成によれば、画像書込部は、一対の画像データをフレームメモリーに書き込んだ後に通知情報を出力し、画像読出部は、通知情報に基づいてフレームメモリーから一対の画像データを読み出す。このため、一対の画像データのうち、一方の画像データのみがフレームメモリーに書き込まれた状態で後続の処理が行われてしまうことがなくなり、表示の乱れが抑制される。
【００６５】
画像出力装置の制御方法は、フレームメモリーを備える画像出力装置の制御方法であって、入力される画像情報に基づいて、左眼用の画像データ及び右眼用の画像データからなる一対の画像データを前記フレームメモリーに書き込み、前記一対の画像データが前記フレームメモリーに書き込まれた後に、書き込んだことを示す通知情報を生成し、前記通知情報に基づいて、前記一対の画像データを前記フレームメモリーから読み出して出力することを特徴とする。
【００６６】
この構成によれば、一対の画像データがフレームメモリーに書き込まれた後に通知情報を生成し、通知情報に基づいてフレームメモリーから一対の画像データを読み出す。このため、一対の画像データのうち、一方の画像データのみがフレームメモリーに書き込まれた状態で後続の処理が行われてしまうことがなくなり、表示の乱れが抑制される。
【符号の説明】
【００６７】
１…プロジェクター、２…画像供給装置、３…立体視装置、１０…制御部、１１…記憶部、１２…入力操作部、１３…入力インターフェイス、１４…同期信号送信部、２０…画像処理部、２１…入力処理部、２２…フレームメモリー、２３…画像読出部、２４…フレームレート変換部、３０…画像投写部、３１…光源、３２Ｒ，３２Ｇ，３２Ｂ…液晶ライトバルブ、３２ｉ…画素領域、３３…投写光学系、３４…ライトバルブ駆動部、４１Ｌ，４１Ｒ…液晶シャッター、４２…同期信号受信部、Ｂ…バンク、Ｓｐ…投写面。
【図１】
2020068400.tif 000003
【図２】
2020068400.tif 000004
【図３】
2020068400.tif 000005
【図４】
2020068400.tif 000006